【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
複数の撮影プロトコル情報を表示手段に表示する表示制御手段と、
前記表示手段の表示から第一の撮影プロトコルおよび第二の撮影プロトコルを指定する指定手段と、
前記第一の撮影プロトコルおよび前記第二の撮影プロトコルのうち、いずれか一方の撮影プロトコルについての撮影が未実施であると判定された場合に、他方の撮影プロトコルについての撮影画像を前記一方の撮影プロトコルに関連付ける制御手段と、
を備えることを特徴とする撮影制御装置。
【請求項２】
前記指定手段は、前記第一の撮影プロトコルおよび前記第二の撮影プロトコルとして、変更先の撮影プロトコル、および撮影画像が関連付けられた変更元の撮影プロトコルを指定し、
前記制御手段は、変更先の撮影プロトコルについての撮影が未実施である場合に、前記変更元の撮影プロトコルに関連付けられた撮影画像を変更先の撮影プロトコルに関連付けることを特徴とする請求項１に記載の撮影制御装置。
【請求項３】
前記指定手段は、前記第一の撮影プロトコルおよび前記第二の撮影プロトコルとして、変更先の撮影プロトコル、および撮影画像が関連付けられた変更元の撮影プロトコルを指定し、
前記制御手段は、変更先の撮影プロトコルについての撮影が実施済みである場合に、前記変更先の撮影プロトコルに関連付けられた撮影画像および前記変更元の撮影プロトコルに関連付けられた撮影画像をそれぞれ入れ替えることを特徴とする請求項１に記載の撮影制御装置。
【請求項４】
前記制御手段は、前記一方の撮影プロトコルについての撮影が未実施であると判定された場合に、前記他方の撮影プロトコルについての撮影画像を前記一方の撮影プロトコルに関連付け、前記他方の撮影プロトコルに基づく撮影の状態を未撮影状態に遷移させることを特徴とする請求項１に記載の撮影制御装置。
【請求項５】
前記表示制御手段は、前記撮影の状態の遷移に応じて、前記指定された撮影プロトコルの少なくとも一方の表示を変更することを特徴とする請求項４に記載の撮影制御装置。
【請求項６】
前記制御手段は、前記一方の撮影プロトコルについての撮影が未実施であると判定された場合に、前記他方の撮影プロトコルについての撮影画像を前記一方の撮影プロトコルに関連付け、前記一方の撮影プロトコルに基づく撮影の状態を撮影済み状態に遷移させることを特徴とする請求項１に記載の撮影制御装置。
【請求項７】
前記制御手段は、前記撮影の状態の遷移に応じて、前記指定された撮影プロトコルの少なくとも一方の表示を変更することを特徴とする請求項６に記載の撮影制御装置。
【請求項８】
撮影プロトコルとの関連付けが変更された撮影画像について、変更後の撮影プロトコルに対応する処理条件に基づいて、前記撮影画像についての処理を実行する処理手段を更に備えることを特徴とする請求項１に記載の撮影制御装置。
【請求項９】
前記処理手段は、前記関連付けの変更に応じた撮影プロトコルにより前記処理を実行することを特徴とする請求項８に記載の撮影制御装置。
【請求項１０】
前記表示制御手段は、前記撮影画像に基づいて縮小画像を生成することを特徴とする請求項１に記載の撮影制御装置。
【請求項１１】
前記撮影プロトコル情報には、撮影に用いる撮影条件の情報が含まれることを特徴とする請求項１に記載の撮影制御装置。
【請求項１２】
前記表示制御手段は、前記撮影画像が関連付けられた撮影プロトコルについて、前記撮影プロトコルと前記撮影画像の縮小画像とを対応させて、前記表示手段に表示させることを特徴とする請求項１０に記載の撮影制御装置。
【請求項１３】
前記表示制御手段により表示される前記表示手段の表示画面は、前記撮影プロトコルおよび前記縮小画像を表示させる第一の表示領域と、前記撮影画像に基づいて生成され前記縮小画像よりも大きいサイズの画像を表示させる第二の表示領域と、を有することを特徴とする請求項１２に記載の撮影制御装置。
【請求項１４】
前記制御手段は、前記一方の撮影プロトコルについての撮影が未実施であると判定された場合に、他方の撮影プロトコルについての撮影画像を前記一方の撮影プロトコルに関連付け、
前記表示制御手段は、前記撮影画像について、前記一方の撮影プロトコルに対応する処理が施された処理後の画像を前記第二の表示領域に表示させることを特徴とする請求項１３に記載の撮影制御装置。
【請求項１５】
撮影制御装置の撮影制御方法であって、
前記撮影制御装置の表示制御手段が、複数の撮影プロトコル情報を表示手段に表示する表示制御工程と、
前記撮影制御装置の指定手段が、前記表示手段の表示から第一の撮影プロトコルおよび第二の撮影プロトコルを指定する指定工程と、
前記撮影制御装置の制御手段が、前記第一の撮影プロトコルおよび前記第二の撮影プロトコルのうち、いずれか一方の撮影プロトコルについての撮影が未実施であると判定された場合に、他方の撮影プロトコルについての撮影画像を前記一方の撮影プロトコルに関連付ける制御工程と、
を有することを特徴とする撮影制御装置の撮影制御方法。
【請求項１６】
放射線を検出する検出手段と、
前記検出手段により検出された放射線に応じて撮影を制御する撮影制御装置と、を有し、
前記撮影制御装置が、
複数の撮影プロトコル情報を表示手段に表示する表示制御手段と、
前記表示手段の表示から第一の撮影プロトコルおよび第二の撮影プロトコルを指定する指定手段と、
前記第一の撮影プロトコルおよび前記第二の撮影プロトコルのうち、いずれか一方の撮影プロトコルについての撮影が未実施であると判定された場合に、他方の撮影プロトコルについての撮影画像を前記一方の撮影プロトコルに関連付ける制御手段と、
を備えることを特徴とする放射線撮影装置。
【請求項１７】
複数の撮影プロトコルを含む検査オーダに基づいて撮影を制御する撮影制御装置であって、
撮影時に用いられた撮影プロトコルに基づいて、撮影された画像に対して処理を実施する処理手段と、
操作者の指示に基づいて前記検査オーダから変更元の撮影プロトコルを指定する変更元指定手段と、
操作者の指示に基づいて前記検査オーダから変更先の撮影プロトコルを指定する変更先指定手段と、
前記変更元の撮影プロトコルに基づいて撮影された画像に対応する前記撮影プロトコルを前記変更元の撮影プロトコルから前記変更先の撮影プロトコルに変更する変更手段と、
前記変更手段による変更時の変更条件を前記撮影プロトコルに対応して管理する変更条件管理手段と、
を備えることを特徴とする撮影制御装置。
【請求項１８】
前記変更手段は、
前記変更先の撮影プロトコルに基づく撮影が未実施である場合に前記変更を行なうときには、前記変更元の撮影プロトコルに基づく撮影の状態を未撮影状態に遷移させるとともに、前記変更先の撮影プロトコルに基づく撮影の状態を撮影済み状態に遷移させる
ことを特徴とする請求項１７に記載の撮影制御装置。
【請求項１９】
前記変更手段は、
前記変更先の撮影プロトコルに基づく撮影の状態を撮影済み状態に遷移させる際に、撮影手段による撮影の準備状態を撮影可能状態に遷移させる
ことを特徴とする請求項１８に記載の撮影制御装置。
【請求項２０】
前記変更手段は、
前記変更先の撮影プロトコルに基づく撮影が実施済みである場合、前記変更先の撮影プロトコルに基づき撮影された画像に対応する前記撮影プロトコルを前記変更先の撮影プロトコルから前記変更元の撮影プロトコルに変更し、
前記処理手段は、
前記変更先の撮影プロトコルに基づく撮影が実施済みである場合に前記変更が行なわれたときには、前記変更先の撮影プロトコルに基づき撮影された処理前の画像に対して前記変更元の撮影プロトコルに基づく処理を実施する
ことを特徴とする請求項１７に記載の撮影制御装置。
【請求項２１】
前記変更手段による前記変更時に前記変更先の撮影プロトコルが前記変更条件管理手段により管理された前記変更条件を満たしているか否かを判断する判断手段を更に備え、
前記変更手段は、
前記判断手段により前記変更先の撮影プロトコルが前記変更条件を満たしていると判断された場合に前記変更を行なう
ことを特徴とする請求項１７に記載の撮影制御装置。
【請求項２２】
前記変更条件は、
放射線発生部の情報、放射線検出部の情報、前記処理手段による処理の情報、グリッドに関する情報、の少なくともいずれかに対応した条件を含む
ことを特徴とする請求項２１に記載の撮影制御装置。
【請求項２３】
前記変更手段による前記変更時に前記変更元の撮影プロトコルから前記変更先の撮影プロトコルに引き継ぐ引継情報を前記撮影プロトコルに対応して管理する引継情報管理手段と、
前記変更手段による前記変更時に前記引継情報管理手段により管理された前記引継情報を前記変更先の撮影プロトコルに反映させる反映手段と
を更に具備することを特徴とする請求項１７又は２１に記載の撮影制御装置。
【請求項２４】
前記引継情報は、
放射線発生部の情報、放射線検出部の情報、前記処理手段による処理の情報、グリッドに関する情報、の少なくともいずれかの情報を含む
ことを特徴とする請求項２３に記載の撮影制御装置。
【請求項２５】
前記撮影プロトコルは、
放射線発生部の情報、放射線検出部の情報、前記処理手段による処理の情報、グリッドに関する情報、の少なくともいずれかの情報を含む
ことを特徴とする請求項１７乃至２４のいずれか１項に記載の撮影制御装置。
【請求項２６】
前記処理手段で処理される処理には、画像処理が含まれることを特徴とする請求項１７乃至２５のいずれか１項に記載の撮影制御装置。
【請求項２７】
複数の撮影プロトコルを含む検査オーダに基づいて撮影を制御する撮影制御装置の撮影制御方法であって、
前記撮影制御装置の処理手段が、撮影時に用いられた撮影プロトコルに基づいて、撮影された画像に対して処理を実施する工程と、
前記撮影制御装置の変更元指定手段が、操作者の指示に基づいて前記検査オーダから変更元の撮影プロトコルを指定する工程と、
前記撮影制御装置の変更先指定手段が、操作者の指示に基づいて前記検査オーダから変更先の撮影プロトコルを指定する工程と、
前記撮影制御装置の変更手段が、前記変更元の撮影プロトコルに基づいて撮影された画像に対応する前記撮影プロトコルを前記変更元の撮影プロトコルから前記変更先の撮影プロトコルに変更する工程と、
前記撮影制御装置の変更条件管理手段が、前記変更する工程における変更時の変更条件を前記撮影プロトコルに対応して管理する工程と、
有することを特徴とする撮影制御装置の撮影制御方法。
【請求項２８】
放射線を検出する検出手段と、
複数の撮影プロトコルを含む検査オーダに基づいて前記放射線による撮影を制御する撮影制御装置と、を有し、
前記撮影制御装置が、
撮影時に用いられた撮影プロトコルに基づいて、撮影された画像に対して処理を実施する処理手段と、
操作者の指示に基づいて前記検査オーダから変更元の撮影プロトコルを指定する変更元指定手段と、
操作者の指示に基づいて前記検査オーダから変更先の撮影プロトコルを指定する変更先指定手段と、
前記変更元の撮影プロトコルに基づいて撮影された画像に対応する前記撮影プロトコルを前記変更元の撮影プロトコルから前記変更先の撮影プロトコルに変更する変更手段と、
前記変更手段による変更時の変更条件を前記撮影プロトコルに対応して管理する変更条件管理手段と、
を備えることを特徴とする放射線撮影装置。
【請求項２９】
放射線撮影システムであって、
放射線を発生させる放射線発生装置と、
前記放射線を検出し、検出した前記放射線に基づいて撮影を実行する放射線撮影装置と、を有し、
前記放射線撮影装置は、
放射線を検出する検出手段と、
複数の撮影プロトコルを含む検査オーダに基づいて前記放射線による撮影を制御する撮影制御装置と、を有し、
前記撮影制御装置が、
撮影時に用いられた撮影プロトコルに基づいて、撮影された画像に対して処理を実施する処理手段と、
操作者の指示に基づいて前記検査オーダから変更元の撮影プロトコルを指定する変更元指定手段と、
操作者の指示に基づいて前記検査オーダから変更先の撮影プロトコルを指定する変更先指定手段と、
前記変更元の撮影プロトコルに基づいて撮影された画像に対応する前記撮影プロトコルを前記変更元の撮影プロトコルから前記変更先の撮影プロトコルに変更する変更手段と、
前記変更手段による変更時の変更条件を前記撮影プロトコルに対応して管理する変更条件管理手段と、
を備えることを特徴とする放射線撮影システム。
【請求項３０】
コンピュータに、請求項１５に記載の撮影制御方法の各工程を実行させるためのプログラム。
【請求項３１】
コンピュータに、請求項２７に記載の撮影制御方法の各工程を実行させるためのプログラム。
【手続補正２】
【補正対象書類名】明細書
【補正対象項目名】発明の名称
【補正方法】変更
【補正の内容】
【発明の名称】撮影制御装置、撮影制御方法、放射線撮影装置、放射線撮影システムおよびプログラム
【手続補正３】
【補正対象書類名】明細書
【補正対象項目名】０００１
【補正方法】変更
【補正の内容】
【０００１】
本発明は、撮影制御装置、撮影制御方法、放射線撮影装置、放射線撮影システムおよびプログラムに関する。
【手続補正４】
【補正対象書類名】明細書
【補正対象項目名】０００９
【補正方法】変更
【補正の内容】
【０００９】
上記課題を解決するため、本発明の一つの側面にかかる撮影制御装置は、複数の撮影プロトコル情報を表示手段に表示する表示制御手段と、
前記表示手段の表示から第一の撮影プロトコルおよび第二の撮影プロトコルを指定する指定手段と、
前記第一の撮影プロトコルおよび前記第二の撮影プロトコルのうち、いずれか一方の撮影プロトコルについての撮影が未実施であると判定された場合に、他方の撮影プロトコルについての撮影画像を前記一方の撮影プロトコルに関連付ける制御手段と、を備えることを特徴とする。
あるいは、本発明の他の側面にかかる撮影制御装置は、複数の撮影プロトコルを含む検査オーダに基づいて撮影を制御する撮影制御装置であって、
撮影時に用いられた撮影プロトコルに基づいて、撮影された画像に対して処理を実施する処理手段と、
操作者の指示に基づいて前記検査オーダから変更元の撮影プロトコルを指定する変更元指定手段と、
操作者の指示に基づいて前記検査オーダから変更先の撮影プロトコルを指定する変更先指定手段と、
前記変更元の撮影プロトコルに基づいて撮影された画像に対応する前記撮影プロトコルを前記変更元の撮影プロトコルから前記変更先の撮影プロトコルに変更する変更手段と、
前記変更手段による変更時の変更条件を前記撮影プロトコルに対応して管理する変更条件管理手段と、
を備えることを特徴とする。